(57)【要約】【課題】本発明は、印刷を行う可能性がない印刷データを削除する印刷システム、印刷制御装置、プリンタ、印刷制御プログラム、プリンタプログラム、プリンタドライバを提供する。【解決手段】印刷データ保存制御部は印刷データ保存部に保存されている印刷データの有効期限およびチェックアウトテーブルを参照して当該印刷データの所有者である宿泊客のチェックアウト状況をチェックする。そして、宿泊客がチェックアウトを行う前に有効期限が経過すると、印刷データ保存制御部は印刷データを印刷データ保存部から削除する。また、有効期限が経過する前に宿泊客がチェックアウトを行うと、印刷データ保存制御部は印刷データを印刷データ保存部から削除する。【選択図】図１
2008293237.tif 000002
【特許請求の範囲】
【請求項１】
印刷データを識別するための識別情報を設定する識別情報設定手段と、
前記識別情報設定手段で設定した識別情報を付加した印刷データを生成する印刷データ生成手段と、
前記印刷データ生成手段で生成した印刷データを、通信手段を介して接続する印刷制御装置に送信する印刷データ送信手段と
を具備するプリンタドライバと、
前記通信手段を介して接続する前記プリンタドライバからの印刷データを受信する印刷データ受信手段と、
前記印刷データ受信手段で受信した印刷データを保存する印刷データ保存手段と、
前記印刷データ保存手段に保存されている印刷データに付加されている識別情報が無効化した際に、該印刷データを該印刷データ保存手段から削除する印刷データ削除手段と
を具備する印刷制御装置と
を具備することを特徴とする印刷システム。
【請求項２】
前記プリンタドライバは、
前記印刷データの保存期間を設定する保存期間設定手段
を更に具備し、
前記プリンタドライバの前記印刷データ生成手段は、
前記保存期間および前記識別情報を付加した印刷データを生成し、
前記印刷制御装置の印刷データ削除手段は、
前記保存期間中に前記識別情報が無効化した場合、前記印刷データを前記印刷データ保存手段から削除する
ことを特徴とする請求項１記載の印刷システム。
【請求項３】
印刷データを識別するための識別情報を設定する識別情報設定手段と、
前記識別情報設定手段で設定した識別情報を付加した印刷データを生成する印刷データ生成手段と、
前記印刷データ生成手段で生成した印刷データを、通信手段を介して接続するプリンタに送信する印刷データ送信手段と
を具備するプリンタドライバと、
前記通信手段を介して接続する前記プリンタドライバからの印刷データを受信する印刷データ受信手段と、
前記印刷データ受信手段で受信した印刷データを保存する印刷データ保存手段と、
前記印刷データ保存手段に保存されている印刷データに付加されている識別情報が無効化した際に、該印刷データを該印刷データ保存手段から削除する印刷データ削除手段と
を具備するプリンタと
を具備することを特徴とする印刷システム。
【請求項４】
前記プリンタドライバは、
前記印刷データの保存期間を設定する保存期間設定手段
を更に具備し、
前記プリンタドライバの前記印刷データ生成手段は、
前記保存期間および前記識別情報を付加した印刷データを生成し、
前記プリンタの印刷データ削除手段は、
前記保存期間中に前記識別情報が無効化した場合、前記印刷データを前記印刷データ保存手段から削除する
ことを特徴とする請求項３記載の印刷システム。
【請求項５】
通信手段を介して接続するプリンタドライバからの印刷データを受信する印刷データ受信手段と、
前記印刷データ受信手段で受信した印刷データを保存する印刷データ保存手段と、
前記印刷データ保存手段に保存されている印刷データに付加されている識別情報が無効化した際に、該印刷データを該印刷データ保存手段から削除する印刷データ削除手段と
を具備することを特徴とする印刷制御装置。
【請求項６】
前記印刷制御装置の印刷データ削除手段は、
前記印刷データに付加されている該印刷データの保存期間が経過する前に前記識別情報が無効化した場合、該印刷データを前記印刷データ保存手段から削除する
ことを特徴とする請求項５記載の印刷制御装置。
【請求項７】
通信手段を介して接続するプリンタドライバからの印刷データを受信する印刷データ受信手段と、
前記印刷データ受信手段で受信した印刷データを保存する印刷データ保存手段と、
前記印刷データ保存手段に保存されている印刷データに付加されている識別情報が無効化した際に、該印刷データを該印刷データ保存手段から削除する印刷データ削除手段と
を具備することを特徴とするプリンタ。
【請求項８】
前記印刷制御装置の印刷データ削除手段は、
前記印刷データに付加されている該印刷データの保存期間が経過する前に前記識別情報が無効化した場合、該印刷データを前記印刷データ保存手段から削除する
ことを特徴とする請求項７記載のプリンタ。
【請求項９】
印刷データを識別するための識別情報を設定する識別情報設定処理と、
前記識別情報設定処理で設定した識別情報を付加した印刷データを生成する印刷データ生成処理と、
前記印刷データ生成処理で生成した印刷データを、通信手段を介して接続する印刷制御装置に送信する印刷データ送信処理と
をコンピュータに実行させることを特徴とするプリンタドライバ。
【請求項１０】
前記印刷データの保存期間を設定する保存期間設定処理と、
前記保存期間および前記識別情報を付加した印刷データを生成する印刷データ設定処理と
をコンピュータに実行させることを特徴とする請求項９記載のプリンタドライバ。
【請求項１１】
通信手段を介して接続するプリンタドライバからの印刷データを受信する印刷データ受信処理と、
前記印刷データ受信処理で受信した印刷データを保存する印刷データ保存処理と、
前記印刷データ保存手段に保存されている印刷データに付加されている識別情報が無効化した際に、該印刷データを削除する印刷データ削除処理と
をコンピュータに実行させることを特徴とする印刷制御プログラム。
【請求項１２】
前記印刷データに付加されている該印刷データの保存期間が経過する前に前記無効期限が経過した場合、該印刷データを前記印刷データ保存手段から削除する印刷データ削除処理
をコンピュータに実行させることを特徴とする請求項１１記載の印刷制御プログラム。
【請求項１３】
通信手段を介して接続するプリンタドライバからの印刷データを受信する印刷データ受信処理と、
前記印刷データ受信処理で受信した印刷データを保存する印刷データ保存処理と、
前記印刷データ保存手段に保存されている印刷データに付加されている識別情報が無効化した際に、該印刷データを削除する印刷データ削除処理と
をプリンタに実行させることを特徴とするプリンタプログラム。
【請求項１４】
前記印刷データに付加されている該印刷データの有効期限が経過する前に前記無効期限が経過した場合、該印刷データを前記印刷データ保存手段から削除する印刷データ削除処理
をプリンタに実行させることを特徴とする請求項１３記載のプリンタプログラム。
【発明の詳細な説明】
【技術分野】
【０００１】
本発明は、印刷システム、印刷制御装置、プリンタ、印刷制御プログラム、プリンタプログラム、プリンタドライバに関する。
【背景技術】
【０００２】
近年、プリンタの効率的な利用を目的として、複数の端末等がネットワーク等を介してプリンタと接続することで、複数のユーザが１台のプリンタを共有するシステムが多くなっている。
【０００３】
例えば、ネットワークに接続された外部装置から転送された文書を受信可能で、かつ、受信した文書を記憶可能な通信装置において、外部装置から送信された、削除期限情報が付加された文書を受信し、前記文書と前記削除期限情報とを受信手段で取得し、当該文書に削除期限情報を付加して自機器内の記憶手段に記憶するようにする通信装置及び通信システムがある（例えば、特許文献１参照。）。
【特許文献１】特開２００５−８６６５４号公報
【発明の開示】
【発明が解決しようとする課題】
【０００４】
本発明は、印刷を行う可能性がない印刷データを削除する印刷システム、印刷制御装置、プリンタ、印刷制御プログラム、プリンタプログラム、プリンタドライバを提供することを目的とする。
【課題を解決するための手段】
【０００５】
上記目的を達成するため、請求項１の発明は、印刷データを識別するための識別情報を設定する識別情報設定手段と、前記識別情報設定手段で設定した識別情報を付加した印刷データを生成する印刷データ生成手段と、前記印刷データ生成手段で生成した印刷データを、通信手段を介して接続する印刷制御装置に送信する印刷データ送信手段とを具備するプリンタドライバと、前記通信手段を介して接続する前記プリンタドライバからの印刷データを受信する印刷データ受信手段と、前記印刷データ受信手段で受信した印刷データを保存する印刷データ保存手段と、前記印刷データ保存手段に保存されている印刷データに付加されている識別情報が無効化した際に、該印刷データを該印刷データ保存手段から削除する印刷データ削除手段とを具備する印刷制御装置とを具備することを特徴とする。
【０００６】
また、請求項２の発明は、請求項１の発明において、前記プリンタドライバは、前記印刷データの保存期間を設定する保存期間設定手段を更に具備し、前記プリンタドライバの前記印刷データ生成手段は、前記保存期間および前記識別情報を付加した印刷データを生成し、前記印刷制御装置の印刷データ削除手段は、前記保存期間中に前記識別情報が無効化した場合、前記印刷データを前記印刷データ保存手段から削除することを特徴とする。
【０００７】
また、請求項３の発明は、印刷データを識別するための識別情報を設定する識別情報設定手段と、前記識別情報設定手段で設定した識別情報を付加した印刷データを生成する印刷データ生成手段と、前記印刷データ生成手段で生成した印刷データを、通信手段を介して接続するプリンタに送信する印刷データ送信手段とを具備するプリンタドライバと、前記通信手段を介して接続する前記プリンタドライバからの印刷データを受信する印刷データ受信手段と、前記印刷データ受信手段で受信した印刷データを保存する印刷データ保存手段と、前記印刷データ保存手段に保存されている印刷データに付加されている識別情報が無効化した際に、該印刷データを該印刷データ保存手段から削除する印刷データ削除手段とを具備するプリンタとを具備することを特徴とする。
【０００８】
また、請求項４の発明は、請求項３の発明において、前記プリンタドライバは、前記印刷データの保存期間を設定する保存期間設定手段を更に具備し、前記プリンタドライバの前記印刷データ生成手段は、前記保存期間および前記識別情報を付加した印刷データを生成し、前記プリンタの印刷データ削除手段は、前記保存期間中に前記識別情報が無効化した場合、前記印刷データを前記印刷データ保存手段から削除することを特徴とする。
【０００９】
また、請求項５の発明は、通信手段を介して接続するプリンタドライバからの印刷データを受信する印刷データ受信手段と、前記印刷データ受信手段で受信した印刷データを保存する印刷データ保存手段と、前記印刷データ保存手段に保存されている印刷データに付加されている識別情報が無効化した際に、該印刷データを該印刷データ保存手段から削除する印刷データ削除手段とを具備することを特徴とする。
【００１０】
また、請求項６の発明は、請求項５の発明において、前記印刷制御装置の印刷データ削除手段は、前記印刷データに付加されている該印刷データの保存期間が経過する前に前記識別情報が無効化した場合、該印刷データを前記印刷データ保存手段から削除することを特徴とする。
【００１１】
また、請求項７の発明は、通信手段を介して接続するプリンタドライバからの印刷データを受信する印刷データ受信手段と、前記印刷データ受信手段で受信した印刷データを保存する印刷データ保存手段と、前記印刷データ保存手段に保存されている印刷データに付加されている識別情報が無効化した際に、該印刷データを該印刷データ保存手段から削除する印刷データ削除手段とを具備することを特徴とする。
【００１２】
また、請求項８の発明は、請求項７の発明において、前記印刷制御装置の印刷データ削除手段は、前記印刷データに付加されている該印刷データの保存期間が経過する前に前記識別情報が無効化した場合、該印刷データを前記印刷データ保存手段から削除することを特徴とする。
【００１３】
また、請求項９の発明は、印刷データを識別するための識別情報を設定する識別情報設定処理と、前記識別情報設定処理で設定した識別情報を付加した印刷データを生成する印刷データ生成処理と、前記印刷データ生成処理で生成した印刷データを、通信手段を介して接続する印刷制御装置に送信する印刷データ送信処理とをコンピュータに実行させることを特徴とする。
【００１４】
また、請求項１０の発明は、請求項９の発明において、前記印刷データの保存期間を設定する保存期間設定処理と、前記保存期間および前記識別情報を付加した印刷データを生成する印刷データ設定処理とをコンピュータに実行させることを特徴とする。
【００１５】
また、請求項１１の発明は、通信手段を介して接続するプリンタドライバからの印刷データを受信する印刷データ受信処理と、前記印刷データ受信処理で受信した印刷データを保存する印刷データ保存処理と、前記印刷データ保存手段に保存されている印刷データに付加されている識別情報が無効化した際に、該印刷データを削除する印刷データ削除処理とをコンピュータに実行させることを特徴とする。
【００１６】
また、請求項１２の発明は、請求項１１の発明において、前記印刷データに付加されている該印刷データの保存期間が経過する前に前記無効期限が経過した場合、該印刷データを前記印刷データ保存手段から削除する印刷データ削除処理をコンピュータに実行させることを特徴とする。
【００１７】
また、請求項１３の発明は、通信手段を介して接続するプリンタドライバからの印刷データを受信する印刷データ受信処理と、前記印刷データ受信処理で受信した印刷データを保存する印刷データ保存処理と、前記印刷データ保存手段に保存されている印刷データに付加されている識別情報が無効化した際に、該印刷データを削除する印刷データ削除処理とをプリンタに実行させることを特徴とする。
【００１８】
また、請求項１４の発明は、請求項１３の発明において、前記印刷データに付加されている該印刷データの有効期限が経過する前に前記無効期限が経過した場合、該印刷データを前記印刷データ保存手段から削除する印刷データ削除処理をプリンタに実行させることを特徴とする。
【発明の効果】
【００１９】
請求項１、３、５、７、９、１１、１３に記載の発明は、印刷を行う可能性がない印刷データを削除することが可能となる。
【００２０】
また、請求項２、４、６、８、１０、１２、１４に記載の発明は、有効期限が未経過の印刷を行う可能性がない印刷データを削除することが可能となる。
【発明を実施するための最良の形態】
【００２１】
以下、本発明に係る印刷システム、印刷制御装置、プリンタ、印刷制御プログラム、プリンタプログラム、プリンタドライバの実施の形態について添付図面を参照して詳細に説明する。なお、本実施例では、本発明に係る印刷システムをホテル内に構築し、宿泊客が各客室から印刷システムに接続して印刷を行う場合を想定して説明する。
【実施例１】
【００２２】
図１は、印刷システムの実施例１を示す図である。
【００２３】
図１に示すように、ホテル内にＬＡＮ等のネットワーク１が構築され、ネットワーク１にはプリントサーバ２と、フロントに設置されたプリンタ３とが接続され、更に、各客室にはネットワーク１への接続口が設けられ、宿泊客は自身が所有するＰＣ４を各客室からネットワーク１に接続することができる。
【００２４】
プリントサーバ２（本発明に係る印刷制御装置）は、ネットワーク１に接続したＰＣ４からの印刷データを受け付け、その印刷データを印刷する場合はプリンタに対してその印刷データの印刷処理を実施するように指示する処理、その印刷データを保存する場合は記憶領域に保存する処理、保存した印刷データを管理し、宿泊客が設定した有効期限経過時または宿泊客のチェックアウト時に印刷データを削除する処理を行う。
【００２５】
プリンタ３は、プリントサーバ２からの指示に従って印刷処理の実施を行う。
【００２６】
ここで、客室の接続口からネットワーク１に接続したＰＣ４がプリントサーバ２に対して印刷ジョブを送信するためには、印刷システム専用のプリンタドライバ（本発明に係るプリンタドライバ）が必要である。プリンタドライバの取得として、例えば、ＰＣ４をネットワーク１に接続した際にプリントサーバ２にアクセスし、プリントサーバ２が保存しているプリンタドライバをダウンロードし、ダウンロードしたプリンタドライバをＰＣにインストールする構成、フロントの従業員からプリンタドライバが記憶されているＵＳＢメモリ等の外部記憶装置を借り、その外部記憶装置をＰＣ４に接続してプリンタドライバを取得し、取得したプリンタドライバをＰＣ４にインストールする構成等が挙げられる。  図２は、プリンタドライバ５およびプリントサーバ２の機能的な構成を示すブロック図である。
【００２７】
ＰＣ４は、不図示であるが、基本ソフトウェアであるオペレーティングシステム（以後、ＯＳと称する）に基づいてＰＣ４本体のシーケンス制御を行うＣＰＵ［Central Processing Unit］、ＰＣ４の起動時に実行されるプログラム等を記録するＲＯＭ［Read Only Memory］、プログラムの実行に必要なワークエリアのバッファエリアとして利用されるＲＡＭ［Random Access Memory］、ＯＳ、アプリケーションプログラム、プリンタドライバ、各種ファイル等のデータを格納するＨＤ［Hard Disk］、ネットワーク１等を経由する装置間のコマンド、データ等の送受信を行う通信部等から構成されている。
【００２８】
図２に示すように、ＰＣ４にはプリンタドライバ５が組み込まれ、不図示のＯＳの機能を利用して、ＲＡＭ等に展開されたデータ等をプリンタ３が解釈できるＰＤＬ［Page Description Language］等のプリンタ制御コードの形式の印刷ジョブを生成し、生成した印刷ジョブをプリントサーバ２に送信する。
【００２９】
先ず、プリンタドライバ５の機能的な構成について説明する。
【００３０】
図２に示すように、プリンタドライバ５は、印刷指示部６、印刷データ保存指示部７、識別情報設定部８、有効期限設定部９、印刷データ生成部１０、印刷データ送信部１１１、印刷データ確認部１２、印刷データ削除部１３を具備して構成される。
【００３１】
印刷指示部６は、ＰＣ４に接続された入力装置から入力された印刷指示を受け付ける処理を行う。なお、プリントサーバ２に保存した印刷データの印刷指示も印刷指示部６で受け付けられる。
【００３２】
印刷データ保存指示部７は、ＰＣ４に接続された入力装置から入力された印刷データの保存指示を受け付ける処理を行う。
【００３３】
識別情報設定部８は、印刷データを保存する際に宿泊客が宿泊する客室の客室番号等の識別情報を設定する処理を行う。
【００３４】
有効期限設定部９は、印刷データを保存する際にその印刷データの保存の期限（以後、有効期限と称する）を設定する処理を行う。なお、印刷データを保存する際に、宿泊客は必ずしも有効期限を設定する必要はない。
【００３５】
印刷データ生成部１０は、印刷指示部６で印刷指示を受け付けた際に印刷データを生成する処理、印刷データ保存指示部７で印刷データの保存指示を受け付けた際に、識別情報設定部８で設定された識別情報を付加した印刷データを生成する処理を行う。なお、有効期限設定部９で有効期限が設定された場合は有効期限も印刷データに付加する
印刷データ送信部１１１は、印刷データ生成部１０で生成した印刷データを、ネットワーク１を介してプリントサーバ２に送信する処理を行う。なお、プリントサーバ２に保存した印刷データの印刷指示も印刷データ送信部１１１で送信される。
【００３６】
印刷データ確認部１２は、プリントサーバ２に保存している印刷データを確認する処理を行う。具体的には、現在保存中の印刷データの確認をプリントサーバ２に対して要求し、その要求に応答してプリントサーバ２から提供された現在保存中の印刷データについての情報をＰＣ４のディスプレイ装置に表示する。
【００３７】
印刷データ削除部１３は、印刷データ確認部１２で確認した現在保存中の印刷データの削除をプリントサーバ２に対して指示する処理を行う。
【００３８】
次に、プリントサーバ２の機能的な構成について説明する。
【００３９】
図２に示すように、プリントサーバ２は、印刷データ受信部１４、印刷データ送信部１１２、印刷データ保存制御部１５、印刷データ保存部１６、チェックアウトテーブル１７を具備して構成される。
【００４０】
印刷データ受信部１４は、ＰＣ４のプリンタドライバ５からネットワーク１を介して送信されてきた印刷データを受信する処理を行う。なお、印刷を目的とする印刷データは印刷データ送信部１１２に渡され、保存を目的とする印刷データは印刷データ保存制御部１５に渡される。
【００４１】
印刷データ送信部１１２は、印刷を目的とする印刷データを、ネットワーク１を介してプリンタに送信する処理を行う。
【００４２】
印刷データ保存制御部１５は、印刷データ受信部１４で受信した保存を目的とする印刷データを印刷データ保存部１６に保存する処理、印刷データ保存部１６に保存されている印刷データを宿泊客によって設定された有効期限または宿泊客のチェックアウト状況に基づいて削除する処理、ＰＣ４のプリンタドライバ５からの印刷データの削除指示に従って印刷データを削除する処理を行う。なお、印刷データ保存部１６に保存されている印刷データの印刷指示を受信した場合は印刷指示の対象となる印刷データを印刷データ保存部１６から取り出し、取り出した印刷データを印刷データ送信部１１２に渡す。
【００４３】
印刷保存データ保存部１６は、印刷データを保存する記憶領域である。
【００４４】
チェックアウトテーブル１７は、各客室の客室番号と各客室の宿泊客のチェックアウト状況（即ち、チェックアウト済であるか否か）とを対応付けたテーブルである。
【００４５】
なお、上述した印刷データ受信部１４、印刷データ送信部１１２、印刷データ保存制御部１５、印刷データ保存部１６、チェックアウトテーブル１７を機能として具備するプログラム（本発明に係る印刷制御プログラムに相当）を汎用のサーバコンピュータにインストールする構成を適用することも可能であり、その際には、サーバコンピュータの記憶部（例えば、ハードディスク等）に当該プログラムが記憶され、サーバコンピュータの演算部（例えば、ＣＰＵ等）が記憶部に記憶されている当該プログラムを実行することになる。また、当該プログラムは、各種メモリ、光ディスク等の記憶媒体に記憶して提供することが可能であり、ネットワーク１等の通信回線を介して配信することも可能である。
【００４６】
図３は、印刷データを保存する際のプリンタドライバ５およびプリントサーバ２の機能的な動作について説明する図である。
【００４７】
宿泊客はプリンタドライバ５の識別情報設定部７から自身の客室の客室番号を設定し、プリンタドライバ５の有効期限設定部８から印刷データの有効期限を設定する。具体的には、図４に示すプリンタドライバ５の詳細設定画面において客室番号および有効期限を設定する。なお、有効期限を設定しない場合は「有効期限を設定する」のチェックボックスにチェックを入力しなければ良い。また、保存した印刷データの確認または削除を行うために必要なパスワードも設定し、このパスワードも客室番号および有効期限とともに印刷データに付加される。
【００４８】
宿泊客はプリンタドライバ５の印刷指示データ保存指示部７から印刷データの保存を指示すると、プリンタドライバ５の印刷データ生成部１０はプリンタドライバ５の識別情報設定部８で設定された客室番号（パスワードも含む）およびプリンタドライバ５の有効期限設定部９で設定された有効期限を付加した印刷データ（なお、有効期限が設定されなかった場合は有効期限のみを付加した印刷データ）を生成し、生成した印刷データをプリンタドライバ５の印刷データ送信部１１１に渡し、プリンタドライバ５の印刷データ送信部１１１は印刷データを受け取ると、受け取った印刷データをプリントサーバ２に対して送信する。
【００４９】
プリントサーバ２の印刷データ受信部１４はＰＣ４のプリンタドライバ５からの印刷データを受信すると、受信した印刷データが印刷を目的とするものか、保存を目的とするものかを判別する。ここで、印刷を目的とする印刷データはプリントサーバ２の印刷データ送信部１１２に渡される。
【００５０】
プリントサーバ２の印刷データ受信部１４は保存を目的とする印刷データをプリントサーバ２の印刷データ保存制御部１５に渡し、プリントサーバ２の印刷データ保存制御部１５は印刷データを受け取ると、受け取った印刷データをプリントサーバ２の印刷データ保存部１６に保存する。
【００５１】
図５は、印刷データを削除または印刷データを確認する際のプリンタドライバ５およびプリントサーバ２の機能的な動作について説明する図である。
【００５２】
保存中の印刷データを宿泊客によって設定された有効期限または宿泊客のチェックアウトの日時に基づいて削除する際のプリントサーバ２の機能的な動作について図５を参照して説明する。
【００５３】
印刷データ保存制御部１５は印刷データ保存部１６に保存されている印刷データの有効期限およびチェックアウトテーブル１７を参照して当該印刷データの所有者である宿泊客のチェックアウト状況をチェックする。
【００５４】
そして、宿泊客がチェックアウトを行う前に有効期限が経過すると、印刷データ保存制御部１５は印刷データを印刷データ保存部１６から削除する。なお、削除する前にＰＣ４のプリンタドライバ５に対して削除する旨を通知し、通知後、ＰＣ４のプリンタドライバ５から宿泊客の削除の了解を受け付けた場合は削除を行い、ＰＣ４のプリンタドライバ５から宿泊客の削除の禁止を受け付けた場合は削除を禁止して保存を続け、所定の時間内にＰＣ４のプリンタドライバ５から返答がなかった場合は削除を行う構成を適用しても良い。
【００５５】
また、有効期限が経過する前に宿泊客がチェックアウトを行うと、印刷データ保存制御部１５は印刷データを印刷データ保存部１６から削除する。
【００５６】
次に、保存中の印刷データをプリンタドライバ５からの指示で削除する際のプリンタドライバ５およびプリントサーバ２の機能的な動作について図５を参照して説明する。
【００５７】
宿泊客はプリンタドライバ５の印刷データ確認部１２から保存中の印刷データの確認の要求を指示すると（この時、宿泊客は客室番号を入力する）、プリンタドライバ５の印刷データ確認部１２は印刷データの確認をプリントサーバ２に対して要求する（この時、客室番号をプリントサーバ２に対して送信する）。
【００５８】
プリントサーバ２の印刷データ保存制御部１５はＰＣ４のプリンタドライバ５からの印刷データの確認の要求を受け付けると、要求とともに送信されてきた客室番号が付加された印刷データをプリントサーバ２の印刷データ保存部１６から検索する。
【００５９】
ここで、送信されてきた客室番号が付加された印刷データが保存されていない場合、プリントサーバ２の印刷データ保存制御部１５は要求の対象となる印刷データが保存されていない旨をＰＣ４のプリンタドライバ５に対して通知する。これにより、印刷データを保存する際に有効期限を設定した場合において、その有効期限の経過後に宿泊客が実際に印刷データが削除されているか確認することができる。
【００６０】
また、送信されてきた客室番号が付加された印刷データが保存されている場合、プリントサーバ２の印刷データ保存制御部１５は保存中の印刷データについての情報（データ名、保存日時等）をＰＣ４のプリンタドライバ５に対して送信する。
【００６１】
プリンタドライバ５の印刷データ確認部１２はプリントサーバ２からの保存中の印刷データについての情報を受信すると、受信した情報をＰＣ４のディスプレイ装置に表示する。具体的には、図６に示す画面が表示される。図６に示す画面から、２００７年１月１日の０時０分に保存された明細書という印刷データ、および２００７年１月１日の０時１分に保存された図面という印刷データがプリントサーバ２に保存されていることが確認できる。
【００６２】
ここで、宿泊客はプリンタドライバ５の印刷データ削除部１３から保存中の印刷データの削除を指示すると（この時、削除の対象となる印刷データに付加されているパスワードを入力する）、プリンタドライバ５の印刷データ削除部１３は印刷データの削除をプリントサーバ２に対して指示する（この時、パスワードをプリントサーバ２に対して送信する）。具体的には、図６に示す画面内の削除ボタンを押下することで、印刷データの削除を指示することができる。例えば、明細書の印刷データを削除したい場合は削除ボタンを押下し、図面の印刷データを削除したい場合は削除ボタンを押下すれば良い。
【００６３】
プリントサーバ２の印刷データ保存制御部１５はＰＣ４のプリンタドライバ５からの印刷データの削除の指示を受け付けると、指示とともに送信されてきたパスワードと削除の対象となる印刷データに付加されたパスワードとを比較し、一致した場合はその印刷データをプリントサーバ２の印刷データ保存部１６から削除する。
【００６４】
次に、印刷データを保存する際にプリンタドライバ５およびプリントサーバ２で行われる処理の流れの一例について図７に示すシーケンス図を参照して説明する。
【００６５】
プリンタドライバの識別情報受付部で客室番号等の識別情報が設定される（Ｓ７０１）。
【００６６】
プリンタドライバの有効期限設定部で有効期限が設定された場合（Ｓ７０２でＹＥＳ）、プリンタドライバの印刷データ保存指示部が印刷データの保存指示を受け付けると（Ｓ７０３）、プリンタドライバの印刷データ生成部は識別情報および有効期限を付加した印刷データを生成し（Ｓ７０４）、Ｓ７０７に進む。
【００６７】
また、プリンタドライバの有効期限設定部で有効期限が設定されなかった場合（Ｓ７０２でＮＯ）、プリンタドライバの印刷データ保存指示部が印刷データの保存指示を受け付けると（Ｓ７０５）、プリンタドライバの印刷データ生成部は識別情報を付加した印刷データを生成し（Ｓ７０６）、Ｓ７０７に進む。
【００６８】
そして、プリンタドライバの印刷データ送信部は印刷データをプリントサーバに対して送信する（Ｓ７０７）。
【００６９】
プリントサーバの印刷データ受信部はプリンタドライバからの保存を目的とする印刷データを受信すると（Ｓ７０８）、プリントサーバの印刷データ保存制御部はプリントサーバの印刷データを印刷データ保存部に保存し（Ｓ７０９）、処理手順を終了する。
【００７０】
次に、プリントサーバ２で行われる保存中の印刷データの管理処理の流れの一例について図８に示すフローチャートを参照して説明する。
【００７１】
印刷データ保存制御部は印刷データを印刷データ保存部に保存すると（Ｓ８０１）、保存中の印刷データの管理を開始する（Ｓ８０２）。
【００７２】
印刷データに付加された有効期限が経過した場合（Ｓ８０３でＹＥＳ）、印刷データ保存制御部は印刷データを印刷データ保存部から削除し（Ｓ８０５）、印刷データの管理を終了する（Ｓ８０６）。
【００７３】
また、印刷データに付加された有効期限が経過せずに（Ｓ８０３でＮＯ）、チェックアウトのテーブルにおいて印刷データの所有者である宿泊客がチェックアウト済みである場合（Ｓ８０４でＹＥＳ）、印刷データ保存制御部は印刷データを印刷データ保存部から削除し（Ｓ８０５）、印刷データの管理を終了する（Ｓ８０６）。
【００７４】
また、チェックアウトのテーブルにおいて印刷データの所有者である宿泊客がチェックアウト済みではない場合（Ｓ８０４でＮＯ）、Ｓ８０３に戻る。
【００７５】
次に、保存中の印刷データを削除する際のプリンタドライバ５およびプリントサーバ２で行われる処理の流れの一例について図９に示すフローチャートを参照して説明する。
【００７６】
プリンタドライバの印刷データ確認部は印刷データの確認指示を受け付けると（Ｓ９０１）、印刷データの確認をプリントサーバに対して要求する（Ｓ９０２）。
【００７７】
プリントサーバの印刷データ保存制御部はプリンタドライバからの印刷データの確認の要求を受け付けると（Ｓ９０３）、確認対象の印刷データをプリントサーバの印刷データ保存部から検索し（Ｓ９０４）、保存中の印刷データについての情報をＰＣのプリンタドライバに対して提供する（Ｓ９０５）。
【００７８】
プリンタドライバの印刷データ確認部はプリントサーバからの保存中の印刷データについての情報を受け付けると（Ｓ９０６）、受け付けた保存中の印刷データについての情報を提示する（Ｓ９０７）。
【００７９】
ここで、プリンタドライバの印刷データ削除部が印刷データの削除指示を受け付けると（Ｓ９０８）、印刷データの削除をプリントサーバに対して指示する（Ｓ９０９）。
【００８０】
プリントサーバの印刷データ保存制御部はＰＣのプリンタドライバからの印刷データの削除の指示を受け付けると（Ｓ９１０）、削除の対象となる印刷データをプリントサーバの印刷データ保存部から削除し（Ｓ９１１）、処理手順を終了する。
【実施例２】
【００８１】
図１０は、印刷システムの実施例２を示す図である。
【００８２】
図１０に示すように、ホテル内にＬＡＮ等のネットワーク１が構築され、ネットワーク１にはフロントに設置されたプリンタ３が接続され、更に、各客室にはネットワーク１への接続口が設けられ、宿泊客は自身が所有するＰＣ４を各客室からネットワーク１に接続することができる。
【００８３】
プリンタ３（本発明に係るプリンタ）は、ネットワーク１に接続したＰＣ４からの印刷データを受け付け、その印刷データを印刷する場合は印刷処理の実施を行い、その印刷データを保存する場合は記憶領域に保存する処理、保存した印刷データを管理し、宿泊客が設定した有効期限経過時または宿泊客のチェックアウト時に印刷データを削除する処理を行う。
【００８４】
ここで、客室の接続口からネットワーク１に接続したＰＣ４がプリントサーバ２に対して印刷ジョブを送信するためには、印刷システム専用のプリンタドライバ（本発明に係るプリンタドライバ）が必要である。プリンタドライバの取得として、例えば、ＰＣ４をネットワーク１に接続した際にプリントサーバ２にアクセスし、プリントサーバ２が保存しているプリンタドライバをダウンロードし、ダウンロードしたプリンタドライバをＰＣにインストールする構成、フロントの従業員からプリンタドライバが記憶されているＵＳＢメモリ等の外部記憶装置を借り、その外部記憶装置をＰＣ４に接続してプリンタドライバを取得し、取得したプリンタドライバをＰＣ４にインストールする構成等が挙げられる。  図１１は、プリンタドライバ５およびプリンタ３の機能的な構成を示すブロック図である。
【００８５】
ＰＣ４は、不図示であるが、基本ソフトウェアであるオペレーティングシステム（以後、ＯＳと称する）に基づいてＰＣ４本体のシーケンス制御を行うＣＰＵ［Central Processing Unit］、ＰＣ４の起動時に実行されるプログラム等を記録するＲＯＭ［Read Only Memory］、プログラムの実行に必要なワークエリアのバッファエリアとして利用されるＲＡＭ［Random Access Memory］、ＯＳ、アプリケーションプログラム、プリンタドライバ、各種ファイル等のデータを格納するＨＤ［Hard Disk］、ネットワーク１等を経由する装置間のコマンド、データ等の送受信を行う通信部等から構成されている。
【００８６】
図２に示すように、ＰＣ４にはプリンタドライバ５が組み込まれ、不図示のＯＳの機能を利用して、ＲＡＭ等に展開されたデータ等をプリンタ３が解釈できるＰＤＬ［Page Description Language］等のプリンタ制御コードの形式の印刷ジョブを生成し、生成した印刷ジョブをプリンタ３に送信する。
【００８７】
先ず、プリンタドライバ５の機能的な構成について説明する。
【００８８】
図１１に示すように、プリンタドライバ５は、印刷指示部６、印刷データ保存指示部７、識別情報設定部８、有効期限設定部９、印刷データ生成部１０、印刷データ送信部１１１、印刷データ確認部１２、印刷データ削除部１３を具備して構成される。
【００８９】
印刷指示部は、ＰＣ４に接続された入力装置から入力された印刷指示を受け付ける処理を行う。なお、プリンタ３に保存した印刷データの印刷指示も印刷指示部６で受け付けられる。
【００９０】
印刷データ保存指示部７は、ＰＣ４に接続された入力装置から入力された印刷データの保存指示を受け付ける処理を行う。
【００９１】
識別情報設定部８は、印刷データを保存する際に宿泊客が宿泊する客室の客室番号等の識別情報を設定する処理を行う。
【００９２】
有効期限設定部９は、印刷データを保存する際にその印刷データの保存の期限（以後、有効期限と称する）を設定する処理を行う。なお、印刷データを保存する際に、宿泊客は必ずしも有効期限を設定する必要はない。
【００９３】
印刷データ生成部１０は、印刷指示部６で印刷指示を受け付けた際に印刷データを生成する処理、印刷データ保存指示部７で印刷データの保存指示を受け付けた際に、識別情報設定部８で設定された識別情報を付加した印刷データを生成する処理を行う。なお、有効期限設定部９で有効期限が設定された場合は有効期限も印刷データに付加する
印刷データ送信部１１１は、印刷データ生成部１０で生成した印刷データを、ネットワーク１を介してプリンタ３に送信する処理を行う。なお、プリンタ３に保存した印刷データの印刷指示も印刷データ送信部１１１で送信される。
【００９４】
印刷データ確認部１２は、プリンタ３に保存している印刷データを確認する処理を行う。具体的には、現在保存中の印刷データの確認をプリンタに対して要求し、その要求に応答してプリンタ３から提供された現在保存中の印刷データについての情報をＰＣ４のディスプレイ装置に表示する。
【００９５】
印刷データ削除部１３は、印刷データ確認部１２で確認した現在保存中の印刷データの削除をプリンタ３に対して指示する処理を行う。
【００９６】
次に、プリンタ３の機能的な構成について説明する。
【００９７】
図１１に示すように、プリンタ３は、印刷データ受信部１４、印刷データ保存制御部１５、印刷データ保存部１６、チェックアウトテーブル１７、画像形成部１８を具備して構成される。
【００９８】
印刷データ受信部１４は、ＰＣ４のプリンタドライバ５からネットワーク１を介して送信されてきた印刷データを受信する処理を行う。なお、印刷を目的とする印刷データは画像形成部１８に渡され、保存を目的とする印刷データは印刷データ保存制御部１５に渡される。
【００９９】
印刷データ保存制御部１５は、印刷データ受信部１４で受信した保存を目的とする印刷データを印刷データ保存部１６に保存する処理、印刷データ保存部１６に保存されている印刷データを宿泊客によって設定された有効期限または宿泊客のチェックアウト状況に基づいて削除する処理、ＰＣ４のプリンタドライバ５からの印刷データの削除指示に従って印刷データを削除する処理を行う。なお、印刷データ保存部１６に保存されている印刷データの印刷指示を受信した場合は印刷指示の対象となる印刷データを印刷データ保存部１６から取り出し、取り出した印刷データを画像形成部１８に渡す。
【０１００】
印刷保存データ保存部１６は、印刷データを保存する記憶領域である。
【０１０１】
チェックアウトテーブル１７は、各客室の客室番号と各客室の宿泊客のチェックアウト状況（即ち、チェックアウト済であるか否か）とを対応付けたテーブルである。
【０１０２】
画像形成部１８は、印刷データから画像形成が可能なビットマップイメージを生成し、生成したビットマップイメージを用紙に形成する処理を行う。
【０１０３】
なお、上述した印刷データ受信部１４、印刷データ保存制御部１５、印刷データ保存部１６、チェックアウトテーブル１７を機能として具備するプログラム（本発明に係るプリンタプログラムに相当）を汎用のサーバコンピュータにインストールする構成を適用することも可能であり、その際には、サーバコンピュータの記憶部（例えば、ハードディスク等）に当該プログラムが記憶され、サーバコンピュータの演算部（例えば、ＣＰＵ等）が記憶部に記憶されている当該プログラムを実行することになる。また、当該プログラムは、各種メモリ、光ディスク等の記憶媒体に記憶して提供することが可能であり、ネットワーク１等の通信回線を介して配信することも可能である。
【０１０４】
図１２は、印刷データを保存する際のプリンタドライバ５およびプリンタ３の機能的な動作について説明する図である。
【０１０５】
宿泊客はプリンタドライバ５の識別情報設定部から自身の客室の客室番号を設定し、プリンタドライバ５の有効期限設定部８から印刷データの有効期限を設定する。具体的には、図４に示すプリンタドライバ５の詳細設定画面において客室番号および有効期限を設定する。なお、有効期限を設定しない場合は「有効期限を設定する」のチェックボックスにチェックを入力しなければ良い。また、保存した印刷データの確認または削除を行うために必要なパスワードも設定し、このパスワードも客室番号および有効期限とともに印刷データに付加される。
【０１０６】
宿泊客はプリンタドライバ５の印刷指示データ保存指示部７から印刷データの保存を指示すると、プリンタドライバ５の印刷データ生成部１６はプリンタドライバ５の識別情報設定部８で設定された客室番号（パスワードも含む）およびプリンタドライバ５の有効期限設定部８で設定された有効期限を付加した印刷データ（なお、有効期限が設定されなかった場合は有効期限のみを付加した印刷データ）を生成し、生成した印刷データをプリンタドライバ５の印刷データ送信部１１１に渡し、プリンタドライバ５の印刷データ送信部１１１は印刷データを受け取ると、受け取った印刷データをプリンタ３に対して送信する。
【０１０７】
プリンタ３の印刷データ受信部１４はＰＣ４のプリンタドライバ５からの印刷データを受信すると、受信した印刷データが印刷を目的とするものか、保存を目的とするものかを判別する。ここで、印刷を目的とする印刷データはプリンタ３の画像形成部１８に渡される。
【０１０８】
プリンタ３の印刷データ受信部１４は保存を目的とする印刷データをプリンタ３の印刷データ保存制御部１５に渡し、プリンタ３の印刷データ保存制御部１５は印刷データを受け取ると、受け取った印刷データをプリンタ３の印刷データ保存部１６に保存する。
【０１０９】
図１３は、印刷データを削除または印刷データを確認する際のプリンタドライバ５およびプリンタ３の機能的な動作について説明する図である。
【０１１０】
保存中の印刷データを宿泊客によって設定された有効期限または宿泊客のチェックアウトの日時に基づいて削除する際のプリンタ３の機能的な動作について図１３を参照して説明する。
【０１１１】
印刷データ保存制御部１５は印刷データ保存部１６に保存されている印刷データの有効期限およびチェックアウトテーブル１７を参照して当該印刷データの所有者である宿泊客のチェックアウト状況をチェックする。
【０１１２】
そして、宿泊客がチェックアウトを行う前に有効期限が経過すると、印刷データ保存制御部１５は印刷データを印刷データ保存部１６から削除する。なお、削除する前にＰＣ４のプリンタドライバ５に対して削除する旨を通知し、通知後、ＰＣ４のプリンタドライバ５から宿泊客の削除の了解を受け付けた場合は削除を行い、ＰＣ４のプリンタドライバ５から宿泊客の削除の禁止を受け付けた場合は削除を禁止して保存を続け、所定の時間内にＰＣ４のプリンタドライバ５から返答がなかった場合は削除を行う構成を適用しても良い。
【０１１３】
また、有効期限が経過する前に宿泊客がチェックアウトを行うと、印刷データ保存制御部１５は印刷データを印刷データ保存部１６から削除する。
【０１１４】
次に、保存中の印刷データをプリンタドライバ５からの指示で削除する際のプリンタドライバ５およびプリンタ３の機能的な動作について図１３を参照して説明する。
【０１１５】
宿泊客はプリンタドライバ５の印刷データ確認部１２から保存中の印刷データの確認の要求を指示すると（この時、宿泊客は客室番号を入力する）、プリンタドライバ５の印刷データ確認部１２は印刷データの確認をプリンタ３に対して要求する（この時、客室番号をプリンタに対して送信する）。
【０１１６】
プリンタ３の印刷データ保存制御部１５はＰＣ４のプリンタドライバ５からの印刷データの確認の要求を受け付けると、要求とともに送信されてきた客室番号が付加された印刷データをプリンタ３の印刷データ保存部１６から検索する。
【０１１７】
ここで、送信されてきた客室番号が付加された印刷データが保存されていない場合、プリンタ３の印刷データ保存制御部１５は要求の対象となる印刷データが保存されていない旨をＰＣ４のプリンタドライバ５に対して通知する。これにより、印刷データを保存する際に有効期限を設定した場合において、その有効期限の経過後に宿泊客が実際に印刷データが削除されているか確認することができる。
【０１１８】
また、送信されてきた客室番号が付加された印刷データが保存されている場合、プリンタ３の印刷データ保存制御部１５は保存中の印刷データについての情報（データ名、保存日時等）をＰＣ４のプリンタドライバ５に対して送信する。
【０１１９】
プリンタドライバ５の印刷データ確認部１２はプリンタ３からの保存中の印刷データについての情報を受信すると、受信した情報をＰＣ４のディスプレイ装置に表示する。具体的には、図６に示す画面が表示される。図６に示す画面から、２００７年１月１日の０時０分に保存された明細書という印刷データ、および２００７年１月１日の０時１分に保存された図面という印刷データがプリンタに保存されていることが確認できる。
【０１２０】
ここで、宿泊客はプリンタドライバ５の印刷データ削除部１３から保存中の印刷データの削除を指示すると（この時、削除の対象となる印刷データに付加されているパスワードを入力する）、プリンタドライバ５の印刷データ削除部１３は印刷データの削除をプリンタ３に対して指示する（この時、パスワードをプリンタ３に対して送信する）。具体的には、図６に示す画面内の削除ボタンを押下することで、印刷データの削除を指示することができる。例えば、明細書の印刷データを削除したい場合は削除ボタンを押下し、図面の印刷データを削除したい場合は削除ボタンを押下すれば良い。
【０１２１】
プリンタ３の印刷データ保存制御部１５はＰＣ４のプリンタドライバ５からの印刷データの削除の指示を受け付けると、指示とともに送信されてきたパスワードと削除の対象となる印刷データに付加されたパスワードとを比較し、一致した場合はその印刷データをプリンタ３の印刷データ保存部１６から削除する。
【０１２２】
次に、印刷データを保存する際にプリンタドライバ５およびプリンタ３で行われる処理の流れの一例について図１４に示すシーケンス図を参照して説明する。
【０１２３】
プリンタドライバの識別情報受付部で客室番号等の識別情報が設定される（Ｓ１４０１）。
【０１２４】
プリンタドライバの有効期限設定部で有効期限が設定された場合（Ｓ１４０２でＹＥＳ）、プリンタドライバの印刷データ保存指示部が印刷データの保存指示を受け付けると（Ｓ１４０３）、プリンタドライバの印刷データ生成部は識別情報および有効期限を付加した印刷データを生成し（Ｓ１４０４）、Ｓ１４０７に進む。
【０１２５】
また、プリンタドライバの有効期限設定部で有効期限が設定されなかった場合（Ｓ１４０２でＮＯ）、プリンタドライバの印刷データ保存指示部が印刷データの保存指示を受け付けると（Ｓ１４０５）、プリンタドライバの印刷データ生成部は識別情報を付加した印刷データを生成し（Ｓ１４０６）、Ｓ１４０７に進む。
【０１２６】
そして、プリンタドライバの印刷データ送信部は印刷データをプリンタに対して送信する（Ｓ１４０７）。
【０１２７】
プリンタの印刷データ受信部はプリンタドライバからの保存を目的とする印刷データを受信すると（Ｓ１４０８）、プリンタの印刷データ保存制御部は印刷データをプリンタの印刷データ保存部に保存し（Ｓ１４０９）、処理手順を終了する。
【０１２８】
次に、プリンタ３で行われる保存中の印刷データの管理処理の流れの一例について図１５に示すフローチャートを参照して説明する。
【０１２９】
印刷データ保存制御部は印刷データを印刷データ保存部に保存すると（Ｓ１５０１）、保存中の印刷データの管理を開始する（Ｓ１５０２）。
【０１３０】
印刷データに付加された有効期限が経過した場合（Ｓ１５０３でＹＥＳ）、印刷データ保存制御部は印刷データを印刷データ保存部から削除し（Ｓ１５０５）、印刷データの管理を終了する（Ｓ１５０６）。
【０１３１】
また、印刷データに付加された有効期限が経過せずに（Ｓ１５０３でＮＯ）、チェックアウトのテーブルにおいて印刷データの所有者である宿泊客がチェックアウト済みである場合（Ｓ１５０４でＹＥＳ）、印刷データ保存制御部は印刷データを印刷データ保存部から削除し（Ｓ１５０５）、印刷データの管理を終了する（Ｓ１５０６）。
【０１３２】
また、チェックアウトのテーブルにおいて印刷データの所有者である宿泊客がチェックアウト済みではない場合（Ｓ１５０４でＮＯ）、Ｓ１５０３に戻る。
【０１３３】
次に、保存中の印刷データを削除する際のプリンタドライバ５およびプリンタ３で行われる処理の流れの一例について図１６に示すフローチャートを参照して説明する。
【０１３４】
プリンタドライバの印刷データ確認部は印刷データの確認指示を受け付けると（Ｓ１６０１）、印刷データの確認をプリンタに対して要求する（Ｓ１６０２）。
【０１３５】
プリンタの印刷データ保存制御部はプリンタドライバからの印刷データの確認の要求を受け付けると（Ｓ１６０３）、確認対象の印刷データをプリンタの印刷データ保存部から検索し（Ｓ１６０４）、保存中の印刷データについての情報をＰＣのプリンタドライバに対して提供する（Ｓ１６０５）。
【０１３６】
プリンタドライバの印刷データ確認部はプリンタからの保存中の印刷データについての情報を受け付けると（Ｓ１６０６）、受け付けた保存中の印刷データについての情報を提示する（Ｓ１６０７）。
【０１３７】
ここで、プリンタドライバの印刷データ削除部が印刷データの削除指示を受け付けると（Ｓ１６０８）、印刷データの削除をプリンタに対して指示する（Ｓ１６０９）。
【０１３８】
プリンタの印刷データ保存制御部はＰＣのプリンタドライバからの印刷データの削除の指示を受け付けると（Ｓ１６１０）、削除の対象となる印刷データをプリンタの印刷データ保存部から削除し（Ｓ１６１１）、処理手順を終了する。
【図面の簡単な説明】
【０１３９】
【図１】印刷システムの実施例１を示す図である。
【図２】プリンタドライバおよびプリントサーバの機能的な構成を示すブロック図である。
【図３】印刷データを保存する際のプリンタドライバおよびプリントサーバの機能的な動作について説明する図である。
【図４】客室番号および有効期限を設定するための画面の一例を示す図である。
【図５】印刷データを削除または印刷データを確認する際のプリンタドライバおよびプリントサーバの機能的な動作について説明する図である。
【図６】印刷データを確認するための画面の一例を示す図である。
【図７】印刷データを保存する際にプリンタドライバおよびプリントサーバで行われる処理の流れの一例を示すシーケンス図である。
【図８】プリントサーバで行われる保存中の印刷データの管理処理の流れの一例を示すフローチャートである。
【図９】保存中の印刷データを削除する際のプリンタドライバおよびプリントサーバで行われる処理の流れの一例を示すフローチャートである。
【図１０】印刷システムの実施例２を示す図である。
【図１１】プリンタドライバおよびプリンタの機能的な構成を示すブロック図である。
【図１２】印刷データを保存する際のプリンタドライバおよびプリンタの機能的な動作について説明する図である。
【図１３】印刷データを削除または印刷データを確認する際のプリンタドライバおよびプリンタの機能的な動作について説明する図である。
【図１４】印刷データを保存する際にプリンタドライバおよびプリンタで行われる処理の流れの一例を示すシーケンス図である。
【図１５】プリンタで行われる保存中の印刷データの管理処理の流れの一例を示すフローチャートである。
【図１６】保存中の印刷データを削除する際のプリンタドライバおよびプリンタで行われる処理の流れの一例を示すフローチャートである。
【符号の説明】
【０１４０】
１    ネットワーク
２    プリントサーバ
３    プリンタ
４    ＰＣ
５    プリンタドライバ
６    印刷指示部
７    印刷データ保存指示部
８    識別情報設定部
９    有効期限設定部
１０    印刷データ生成部
１１１、１１２    印刷データ送信部
１２    印刷データ確認部
１３    印刷データ削除部
１４    印刷データ受信部
１５    印刷データ保存制御部
１６    印刷データ保存部
１７    チェックアウトテーブル
１８    画像形成部
【図１】
2008293237.tif 000003
【図２】
2008293237.tif 000004
【図３】
2008293237.tif 000005
【図４】
2008293237.tif 000006
【図５】
2008293237.tif 000007
【図６】
2008293237.tif 000008
【図７】
2008293237.tif 000009
【図８】
2008293237.tif 000010
【図９】
2008293237.tif 000011
【図１０】
2008293237.tif 000012
【図１１】
2008293237.tif 000013
【図１２】
2008293237.tif 000014
【図１３】
2008293237.tif 000015
【図１４】
2008293237.tif 000016
【図１５】
2008293237.tif 000017
【図１６】
2008293237.tif 000018